(57)【特許請求の範囲】
【請求項１】
遮光性の車両用の装飾表示体と、
該装飾表示体が上面側に設けられた光拡散板と、
該光拡散板の下面側に設けられ、前記光拡散板側に光を放出する導光板と、
前記光拡散板と前記導光板の間に設けられ、前記装飾表示体に対応する位置に光透過部が形成された遮光層と、
前記導光板に光を供給する光源と
を備えていることを特徴とする車両用装飾表示装置。
【請求項２】
遮光性の車両用の装飾表示体と、
該装飾表示体が上面側に設けられた光拡散板と、
該光拡散板の下面側に、前記装飾表示体の直下に沿って設けられた光源と、
前記光拡散板と前記光源の間に設けられ、前記装飾表示体に対応する位置に光透過部が形成された遮光層と
を備えていることを特徴とする車両用装飾表示装置。
【請求項３】
前記光透過部が、前記装飾表示体と同形で形成されていることを特徴とする請求項１又は２に記載の車両用装飾表示装置。
【請求項４】
前記光透過部が、前記装飾表示体と同大若しくは同大から±５ｍｍの範囲の拡大縮小幅で形成されていることを特徴とする請求項１乃至３のいずれか一項に記載の車両用装飾表示装置。
【請求項５】
前記光源がＬＥＤであることを特徴とする請求項１乃至４のいずれか一項に記載の車両用装飾表示装置。
【請求項６】
前記装飾表示体が車両のエンブレムであることを特徴とする請求個１乃至５のいずれか一項に記載の車両用装飾表示装置。
【請求項７】
前記装飾表示体と、前記光拡散板との間に、光透過性の着色層が介在されていることを特徴とする請求項１乃至６のいずれか一項に記載の車両用装飾表示装置。
【請求項８】
前記光拡散板が着色されていることを特徴とする請求項１乃至６のいずれか一項に記載の車両用装飾表示装置。
【請求項９】
前記光拡散板は、透明若しくは半透明であることを特徴とする請求項１乃至６のいずれか一項に記載の車両用装飾表示装置。
【請求項１０】
前記光拡散板の厚さが０．３ｍｍ〜３．０ｍｍであることを特徴とする請求項１乃至９のいずれか一項に記載の車両用装飾表示装置。
【発明の詳細な説明】
【技術分野】
【０００１】
本発明は、例えば車両のエンブレム等の車両用の装飾表示体を、周囲を発光させて表示することができる車両用装飾表示装置に関する。
【背景技術】
【０００２】
従来、表示対象の周囲を発光させて表示を行う表示装置としては、特許文献１に示されるような字光式ナンバープレートが知られている。特許文献１の字光式ナンバープレートは、不透明な文字部の周囲に透光部を露出させ、文字部の背後から透光部を透過する光を照射することで、文字部を光により浮かび上がらせて認識できるようにするものとなっている。
【先行技術文献】
【特許文献】
【０００３】
【特許文献１】特開平８−１２３３４２号公報
【発明の概要】
【発明が解決しようとする課題】
【０００４】
特許文献１のような自光式ナンバープレートは、道路運送車両法により、見やすい表示とすることが義務付けられているため、文字部を均一な光量の光で縁取るものとなっている。
【０００５】
一方、車両には、自動車会社のエンブレムや車種名等の様々な装飾が施されており、使用者の嗜好によって様々な装飾を施して楽しむ傾向がある。このような楽しみ方の一つとして、装飾表示体の周囲を発光させて表示することがある。
【０００６】
しかしながら、上述した特許文献１のような自光式ナンバープレートのような発光方式では、装飾の周囲が均一な明るさの光で縁取られることになり、装飾としての変化が乏しく、嗜好を十分満足させることができない問題がある。
【０００７】
また、明るい場所では発光部分が外観上に現れて、昼間の装飾効果が損なわれるという問題がある。
【０００８】
そこで、本発明は、装飾表示体の周囲を明るさに柔らかな変化を有する光で縁取って表示できるようにし、車両用の装飾表示体の装飾性を向上させることができる車両用装飾表示装置を提供することを目的とする。
【課題を解決するための手段】
【０００９】
上記課題を解決するために、本発明の第１は、遮光性の車両用の装飾表示体と、
該装飾表示体が上面側に設けられた光拡散板と、
該光拡散板の下面側に設けられ、前記光拡散板側に光を放出する導光板と、
前記光拡散板と前記導光板の間に設けられ、前記装飾表示体に対応する位置に光透過部が形成された遮光層と、
前記導光板に光を供給する光源と
を備えていることを特徴とする車両用装飾表示装置を提供するものである。
【００１０】
また、本発明の第２は、遮光性の車両用の装飾表示体と、
該装飾表示体が上面側に設けられた光拡散板と、
該光拡散板の下面側に、前記装飾表示体の直下に沿って設けられた光源と、
前記光拡散板と前記光源の間に設けられ、前記装飾表示体に対応する位置に光透過部が形成された遮光層と
を備えていることを特徴とする車両用装飾表示装置を提供するものである。
【００１１】
上記本発明の第１及び第２は、前記光透過部が、前記装飾表示体と同形で形成されていること、前記光透過部が、前記装飾表示体と同大若しくは同大から±５ｍｍの範囲の拡大縮小幅で形成されていること、前記光源がＬＥＤであること、前記装飾表示体が車両のエンブレムであること、前記装飾表示体と、前記光拡散板との間に、光透過性の着色層が介在されていること、前記光拡散板が着色されていること、前記光拡散板の厚さが０．３ｍｍ〜３．０ｍｍであること、前記光拡散板は、透明若しくは半透明であること、を好ましい態様として含むものである。
【発明の効果】
【００１２】
本発明に係る車両用装飾表示装置においては、光源からの光が、主に装飾表示体の影となっている箇所から光拡散板に入射し、拡散されて装飾表示体の周囲から放出される。このため、装飾表示体の周囲から放出される光は、装飾表示体に近い側が強く、装飾表示体から離れるにしたがって弱くなるグラデーションを有する。つまり、明るさに柔らかな変化を有する光で装飾表示体を縁取って表示することができるので、装飾性を向上させることができる。
【００１３】
また、発光部を外観から目視できなくなる為、昼間不点灯時において装飾表示体の装飾性を損なうことがなくなる。
【図面の簡単な説明】
【００１４】
【図１】本発明の車両用装飾表示装置の第一の実施形態を示す斜視図である。
【図２】図１に示される車両用装飾表示装置の断面図である。
【図３】本発明の車両用装飾表示装置の第二の実施形態を示す断面図である。
【図４】本発明の車両用装飾表示装置の第三の実施形態を示す断面図である。
【発明を実施するための形態】
【００１５】
以下、図面を用いて本発明の実施形態を説明するが、本発明は下記実施形態に限定されない。また、以下に参照する図面において、同じ符号は同様の構成要素を示す。
【００１６】
〔本発明の車両用装飾表示装置の第一の実施形態〕
本発明の第一の実施形態に係る車両用装飾表示装置を図１および図２を用いて詳細に説明する。
【００１７】
本発明の車両用装飾表示装置１０は、遮光性の車両用の装飾表示体２０と、光拡散板３０と、遮光層４０と、導光板５０と、光源６０と、を備えている。また、この実施形態ではケース７０に収納されている形態である。
【００１８】
装飾表示体２０は、この実施形態では車両の車外に設置される立体のエンブレムである。装飾表示体２０は、車外のエンブレムや、立体の文字列からなる車体名、および車内に配置されるスピードメーターやタコメーター等が配置される計測表示板や、平面若しくは湾曲面からなる遮光性の素材が印刷されたもの、または、打ち抜きにより表示体が設けられたものが挙げられる。好適には、立体のエンブレムや立体の文字列からなる車体名等の、立体となっている装飾表示体２０に用いることで、装飾性の高い効果を得ることができる。
【００１９】
本発明の車両用装飾表示装置１０は、この装飾表示体２０を発光により装飾するものであり、次に述べる光拡散板３０の上に載置され、本車両用装飾表示装置１０の最上面に配置されている。
【００２０】
光拡散板３０は、下面から入射した光を拡散させながら上面から放出するもので、装飾表示体２０の下面側に配置されている。光拡散板３０の形状は、装飾表示体２０によって設定することができ、光を拡散できる素材であればどのようなものでも使用することができる。また、透明または半透明の素材を用いることもできる。光拡散板３０の厚さを薄くすると、装飾表示体２０の周囲から放出される光の広がり（幅）が狭くなり、厚くすると、この光の幅が広くなる。上記光の幅を適当な範囲に調整するために、光拡散板３０の厚さは０．３ｍｍ〜３．０ｍｍであることが好ましい。
【００２１】
光拡散板３０の下面側には、後述する光源６０から供給された光を光拡散板３０側へ放出する導光板５０が設けられている。本実施形態における導光板５０は、光源６０と対向する一側面を除いた他の側面と下面とに反射膜が形成された透明な合成樹脂板によって構成されており、光拡散板３０側の面、即ち上面が面発光するものとなっている。
【００２２】
光拡散板３０と導光板５０の間には遮光層４０が設けられている。また、この遮光層４０には、光の透過を許容する光透過部４２が形成されている。遮光層４０は、導光板５０から光拡散板３０への光の入射位置を、主に装飾表示体２０の影となる範囲、つまり光透過部４２の範囲に制限するもので、例えば光透過部４２を残して光拡散板３０の下面または導光板５０の上面に形成した遮光性塗料の被膜として形成することができる。また、光透過部４２に対応した部分を切り抜いた遮光性フィルムまたは遮光性シートで遮光層４０を形成し、これを光拡散板３０と導光板５０の間に挟み込ませることで設置することもできる。
【００２３】
光透過部４２は、装飾表示体２０に対応する位置、つまり装飾表示体２０の直下に形成されている。本実施形態における光透過部４２は、装飾表示体２０の下面と同形同大に形成されているが、光透過部４２を装飾表示体２０の下面より若干大きくしたり小さくしたりすることで、装飾表示体２０の周囲から放出される光の幅を調節することもできる。具体的には、光拡散板３０の厚さや後述する光源６０の強さ等の他の条件によっても異なるが、装飾表示体２０の周縁から、＋５ｍｍ以内の範囲に拡大した幅、若しくは−５ｍｍ以内の範囲に縮小した幅で設定することができる。さらに、本発明の効果を、より効果的に得るためには、＋３ｍｍ以内の拡大幅で装飾表示体２０の下面より大きくすること、若しくは、−３ｍｍ以内の縮小幅で装飾表示体２０の下面より小さくすることが好ましい。光透過部４２が大きすぎると、装飾表示体２０を装飾する光の拡散が多くなってしまい、グラデーションの効果が薄れてしまう。また、光透過部４２が小さすぎると、光透過部４２を通過する光量を十分に得られにくくなってしまうため、装飾表示体２０を光で縁取る効果を得にくくなってしまうためである。
【００２４】
光源６０は、導光板５０の一側面に向けて配置されている。光源６０としては、必要な光量を確保できるものであれば特に種類に制限はないが、少ない消費電力で十分な輝度を得ることができ、小型軽量で耐久性も高いことから、発光ダイオード（ＬＥＤ）が好ましい。本実施形態における光源６０は、複数のＬＥＤで、導光板５０の一側面に沿って配置されている。
【００２５】
本発明の車両用装飾表示装置１０の使用形態を詳細に説明する。本発明の車両用装飾表示装置１０は、上述したように、装飾表示体２０、光拡散板３０、遮光層４０、導光板５０の順で積層している。光源６０からの光は、導光板５０の上面を面発光させる。導光板５０の上面から放出された光は、遮光層４０に形成された光透過部４２部分から光拡散板３０に入射する。入射した光は、拡散しつつ光拡散板３０の上面から放出される。この時、光透過部４２が、光拡散板３０の上面上に載置されている装飾表示体２０に対応する位置に設けられていることから、装飾表示体２０の周縁に近い部分が最も明るく、装飾表示体２０から離れるにしたがって暗くなるグラデーションを伴って光が出射される。このため、装飾表示体２０の周囲が均一な明るさの光で縁取られるのではなく、装飾表示体から離れるにしたがって暗くなる明暗の変化を伴う光で縁取られるので、装飾効果を高めることができる。
【００２６】
なお、本実施形態におけるケース７０は、光拡散板３０、遮光層４０、導光板５０および光源６０を収納する容器としてのみ用いられているが、例えば車両用のエンブレムの外周形状を形成する部材として用い、装飾表示体２０の一部の構成要素とすることもできる。また、ケース７０として、車両のボディに形成したくぼみを用いることもできる。
【００２７】
〔本発明の車両用装飾表示装置の第二の実施形態〕
本発明に係る車両用装飾表示装置の第二の実施形態を図３に基づいて説明する。
【００２８】
この車両用装飾表示装置１０は、装飾表示体２０と、光拡散板３０と、光源６０とを備えている。装飾表示体２０および光拡散板３０については第一の実施形態と同一のものを使用することができる。
【００２９】
この実施形態では、第一の実施形態で使用している導光板５０を用いることなく、光源６０を装飾表示体２０直下に配置することで、主に装飾表示体２０の影になる部分から光拡散板３０に光を供給できるようにしている。また、本実施形態における光源６０は、装飾表示体２０の直下に沿って配列したＬＥＤで構成されている。特に本実施形態のように、第一の実施形態で用いた、光透過部４２を有する遮光層４０も用いない場合、光源６０は指向性の強いものが好ましく、この意味からもＬＥＤが適している。但し、本実施形態においても、光透過部４２を有する遮光層４０を併用することもできる。光透過部４２を有する遮光層４０を併用すると、指向性のない光源６０でも使用しやすくなる。
【００３０】
〔本発明の車両用装飾表示装置の第三の実施形態〕
本発明に係る車両用装飾表示装置の第三の実施形態を図４に基づいて説明する。
【００３１】
この実施形態の車両用装飾表示装置１０は、第一の実施形態の車両用装飾表示装置１０の装飾表示体２０と、光拡散板３０との間に着色層８０を積層させた構造である。
【００３２】
着色層８０は、装飾表示体２０を装飾する光に色をつけるための層であり、例えばスモークフィルムや、光を着色して透過するのであれば板状のものなど、どのようなものを用いても良い。また、この実施形態では装飾表示体２０と光拡散板３０の間に着色層８０を積層した構造であるが、光拡散板３０自体に着色を施して、光を拡散すると同時に着色光を放出できる構造としてもよい。
【００３３】
この構造とすることで、装飾表示体２０を様々な色で装飾することができ、また、着色層８０に複数の色を配置することにより、装飾表示体２０を場所によって様々な色の光で装飾することが可能となる。
【００３４】
第一から第三の実施形態に上述したそれぞれの部材は、それぞれの部材同士を貼着して車両用装飾表示装置１０を構成することができるが、例えば、係止片を設けてそれぞれの部材同士を係止する構成や、図に示すように車両用装飾表示装置１０の装飾表示体２０以外の上面に開口が設けられたケース７０により、それぞれの部材を収納して構成することも考えられる。この構成にすることにより、光拡散板３０や遮光層４０を装飾表示体２０の形状によって自由に入れ替えて使用することもできる。
【００３５】
第一から第三の実施形態では光源６０を収納するためのケース７０を使用しているが、それぞれの光源に関する配線や電源はケース７０内部に収納してもよく、外部に設けることも可能である。
【符号の説明】
【００３６】
１０：車両用装飾表示装置、２０：装飾表示体、３０：光拡散板、３０ａ：周縁部、３０ｂ：中央部、４０：遮光層、４２：透過部、５０：導光板、６０：光源、７０：ケース、８０：着色層
【要約】
【課題】車両用の装飾表示体２０の周囲を明るさに柔らかな変化を有する光で縁取って表示できるようにし、装飾表示体２０の装飾性を向上させることができる車両用装飾表示装置１０を提供する。
【解決手段】車両用の装飾表示体２０を載置した光拡散板３０の下面側に、前記装飾表示体２０に対応して光透過部４２が形成された遮光層４０を設け、この光透過部４２を介して光拡散板３０へ光を照射する光６０源を備えた車両用装飾表示装置１０とする。
【選択図】図１【図１】
0005563681.tif 000002
【図２】
0005563681.tif 000003
【図３】
0005563681.tif 000004
【図４】
0005563681.tif 000005